(57)【要約】【課題】本発明は、鉄道の列車の発車の際に職員が乗降客の安全確認のため等に使用する軽量合図灯の提供にある。【解決手段】  長方形型の函体の前面に白色、青色、赤色を切換発光する信号照射部が具備され、函体の上面に信号切換ノブが立設され、函体の上面に基端を接続する略逆Ｕ字形の持ち手が具備され、函体の背面に函体に対して取り外し自在の裏蓋部が配備される合図灯において、基部の左右側面に突出する軸部を函体の背面寄り下面に配備される左右の軸受孔部に遊嵌して先端部が函体の背面寄り後方に展開し先端部が置き台面に接面する転倒防止脚が配備されてなる。【選択図】図３
2012141798.tif 000002
【特許請求の範囲】
【請求項１】
長方形型の函体の前面に白色、青色、赤色を切換発光する信号照射部が具備され、函体の上面に信号切換ノブが立設され、函体の上面に基端を接続する略逆Ｕ字形の持ち手が具備され、函体の背面に函体に対して取り外し自在の裏蓋部が配備される合図灯において、基部の左右側面に突出する軸部を函体の背面寄り下面に配備される左右の軸受孔部に遊嵌して先端部が函体の背面寄り後方に展開し先端部が置き台面に接面する転倒防止脚が配備されてなる合図灯の転倒防止装置。
【請求項２】
前記転倒防止脚は、先端部が、前記函体の下面の中央に配備される充電用プラス電極板と充電用マイナス電極板を避ける二股形状に形成され、基部の左右側面に突出する軸部を中心に先端部を函体の背面側に展開した時、背面より後方側に延設し、置き台面に、該先端部の先端縁を接して函体の背面側を延設して支持するように設けられてなる請求項１の合図灯の転倒防止装置。
【請求項３】
前記転倒防止脚は、基部と先端部との中間に永久磁石が埋設されてなる請求項１又は請求項２の合図灯の転倒防止装置。
【請求項４】
函体の下面を構成する底板部に、下面側から前記転倒防止脚の平面形状と厚み形状に適合する凹陥収容部が形成されると共に該凹陥収容部の後縁が上下に開口されて差入れ孔が形成され、該差入れ孔の左右の内側面には上方側を開口する軸受溝が形成され、該軸受溝の開口部が函体内に配備される内装部材に形成される支持脚により閉鎖されて転倒防止脚の基端の左右側面に突出する軸部を軸受けする軸受孔部が函体の下面に配備されてなる請求項１、請求項２又は請求項３の何れか一の請求項の合図灯の転倒防止装置。
【請求項５】
前記凹陥収容部に対応する前記函体の下面を構成する底板部の上面には、凹陥収容部に収容された前記転倒防止脚の永久磁石と磁着関係を構成する磁性部材が配備されてなる請求項１、請求項２、請求項３又は請求項４の何れか一の請求項の合図灯の転倒防止装置。
【請求項６】
前記函体の下面において前記凹陥収容部の前記転倒防止脚の先端部を収容する前縁内面の前方側は指掛凹陥部が凹陥収容部に連通して形成されてなる請求項１、請求項２、請求項３又は請求項４の何れか一の請求項の合図灯の転倒防止装置。
【請求項７】
前記転倒防止脚は、函体の凹陥収容部に収容した時、その基部寄り下面が凹陥部に、先端部寄り上面が凹陥部に夫々形成されて側面形状が鍵型に構成され、前記函体の下面の凹陥収容部に収容された状態から軸部を中心に回転して先端部を函体の後方へ展開した時、前記の基部寄り下面の凹陥部が函体の差入孔の後縁に連接し、転倒防止脚の展開角を可及的大きくし、転倒防止脚の先端部が函体の可及的後方へ達するように設けられてなる請求項１、請求項２、請求項３、請求項４、請求項５又は請求項６の何れか一の請求項の合図灯の転倒防止装置。
【請求項８】
前記転倒防止脚は、基部から先端部を二股に分割する分割円弧面と函体の底板部における凹陥収容部の前縁中央内面とで節度機構が構成される請求項１、請求項２、請求項３、請求項４、請求項５、請求項６又は請求項７の何れか一の請求項の合図灯の転倒防止装置。
【発明の詳細な説明】
【技術分野】
【０００１】
本発明は、鉄道の列車の発車の際に職員が乗降客の安全確認のために使用する合図灯の転倒防止装置に関するものである。
【背景技術】
【０００２】
特許文献１は、本特許出願人等が出願し意匠登録を受けた合図灯である。
【０００３】
特許文献２には、磁石受け吸着板と吸着板の周囲を覆う可撓性材質によって吸着板を保持し、携帯用信号表示灯を装着保持するホルダ部と、ホルダ部外周部に光反射手段を設けた携帯用信号表示灯載置スタンドであり、三角ポールの内外部に装着可能とした発光標識体。また、載置スタンドは積載収納可能とする凹凸形状のホルダ外周部とすること、及び、スタンドアームと、キャスタと、支柱と、把手を有し、携帯用信号表示灯載置スタンドを積載収納し、容易に運搬可能とする携帯用信号表示灯載置スタンド収納運搬具が提案されている。
【０００４】
【特許文献１】意匠登録第１０６５４５９号公報
【特許文献２】特開平１１−１５８８２４号公報
【発明の開示】
【発明が解決しようとする課題】
【０００５】
前記特許文献１は、合図灯の外観であり、良好な信号光、信号色の切換操作ノブ、頭上高く差し上げる堅牢な持ち手及び電池の交換のため開閉の容易な裏蓋を具備し、安定した定置用の底面を具備するものであるが、合図に頭上より高く差し上げて点灯を行うものであるため、使用の現場から軽量化が要請されたものである。
【０００６】
前記特許文献２で提案される携帯用信号表示灯載置スタンドは、細長い円筒型の携帯用信号表示灯を支持するものであるため、その一端を嵌入する凹陥支持部を備える起立台を組み合わせて安定性を確保するものであるが、そのように起立台を組み合わせるものでは、常に、起立台を用意しなければならず置く所が制限されて不便である。
【０００７】
本発明に係る合図灯は、従来と同じ大きさの照射光径、信号色の切換操作ノブ、頭上高く差し上げる堅牢な持ち手及び電池の交換のため開閉の容易な裏蓋を配備した上で内部部品の種々の軽量化を図り、更にケーシングの奥行き狭小の形態により軽量化を図った。本発明に係る合図灯の転倒防止装置は係る底面の面積が縮減された形態において、従来と同様の安定性を確保し、従来と同様の使い勝手を具備させるために開発したものである。
【課題を解決するための手段】
【０００８】
長方形型の函体の前面に白色、青色、赤色を切換発光する信号照射部が具備され、函体の上面に信号切換ノブが立設され、函体の上面に基端を接続する略逆Ｕ字形の持ち手が具備され、函体の背面に函体に対して取り外し自在の裏蓋部が配備される合図灯において、基部の左右側面に突出する軸部を函体の背面寄り下面に配備される左右の軸受孔部に遊嵌して先端部が函体の背面寄り後方に展開し先端部が置き台面に接面する転倒防止脚が配備されてなる合図灯の転倒防止装置にある。
【０００９】
前記転倒防止脚は、先端部が、前記函体の下面の中央に配備される充電用プラス電極板と充電用マイナス電極板を避ける二股形状に形成され、基部の左右側面に突出する軸部を中心に先端部を函体の背面側に展開した時、背面より後方側に延設し、置き台面に、該先端部の先端縁を接して函体の背面側を延設して支持するように設けられてなるものとしてもよいものである。
【００１０】
前記転倒防止脚は、基部と先端部との中間に永久磁石が埋設されてなるものとしてもよいものである。
【００１１】
函体の下面を構成する底板部に、下面側から前記転倒防止脚の平面形状と厚み形状に適合する凹陥収容部が形成されると共に該凹陥収容部の後縁が上下に開口されて差入れ孔が形成され、該差入れ孔の左右の内側面には上方側を開口する軸受溝が形成され、該軸受溝の開口部が函体内に配備される内装部材に形成される支持脚により閉鎖されて転倒防止脚の基端の左右側面に突出する軸部を軸受けする軸受孔部が函体の下面に配備されてなるものとしてもよいものである。
【００１２】
前記凹陥収容部に対応する前記函体の下面を構成する底板部の上面には、凹陥収容部に収容された前記転倒防止脚の永久磁石と磁着関係を構成する磁性部材が配備されてなるものとしてもよいものである。
【００１３】
前記函体の下面において前記凹陥収容部の前記転倒防止脚の先端部を収容する前縁内面の前方側は指掛凹陥部が凹陥収容部に連通して形成されてなるものとしてもよいものである。
【００１４】
前記転倒防止脚は、函体の凹陥収容部に収容した時、その基部寄り下面が凹陥部に、先端部寄り上面が凹陥部に夫々形成されて側面形状が鍵型に構成され、前記函体の下面の凹陥収容部に収容された状態から軸部を中心に回転して先端部を函体の後方へ展開した時、前記の基部寄り下面の凹陥部が函体の差入孔の後縁に連接し、転倒防止脚の展開角を可及的大きくし、転倒防止脚の先端部が函体の可及的後方へ達するように設けられてなるものとしてもよいものである。
【００１５】
前記転倒防止脚は、基部から先端部を二股に分割する分割円弧面と函体の底板部における凹陥収容部の前縁中央内面とで節度機構が構成されてなるものとしてもよいものである。
【発明の効果】
【００１６】
本発明の合図灯の転倒防止装置は前述のように構成されるから、函体の奥行きを狭小にすることより軽量化を図ることができ、又面積が縮減された底面を従来とほぼ同じ大きさの面積に拡大することができ、合図灯を安定して置くことができる。
【図面の簡単な説明】
【００１７】
【図１】図１は、本発明の合図灯の転倒防止装置の実施例を配備した合図灯の外観斜視図である。
【図２】図２は、同じく実施例を配備した合図灯の外観側面図である。
【図３】図３は、同じく実施例の転倒防止装置の要部を示す一部切り欠き断面図である。
【図４】図４は、同じく実施例の転倒防止装置の要部を示す一部切り欠き断面図で、倒止脚を軸受部から外した状態を示すものである。
【図５】図５は、同じく実施例を配備した合図灯の外観背面図で裏蓋の一部切り欠き内部構造を示すものである。
【図６】図６は、同じく実施例を配備した合図灯の外観底面図である。
【図７】図７は、図５の裏蓋部を外した状態のＡ−Ａ線に沿う断面図である。
【図８】図８は、同じく実施例の転倒防止装置の倒止脚単体の上面側からの斜視図である。
【図９】図９は、同じく実施例の転倒防止装置の倒止脚単体の下面側からの斜視図である。
【発明を実施するための最良の形態】
【００１８】
長方形型の函体の前面に白色、青色、赤色を切換発光する信号照射部が具備され、函体の上面に信号切換ノブが立設され、函体の上面に基端を接続する略逆Ｕ字形の持ち手が具備され、函体の背面に函体に対して取り外し自在の裏蓋部が配備される合図灯であって基部の左右側面に突出する軸部を函体の背面寄り下面に配備される左右の軸受孔部に遊嵌して先端部が函体の背面寄り後方に展開し先端部が置き台面に接面する転倒防止脚が配備されてなる合図灯の転倒防止装置において、前記転倒防止脚は先端部が前記函体の下面の中央に配備される充電用プラス電極板と充電用マイナス電極板を避ける二股形状に形成され、前記転倒防止脚は基部と先端部との中間に永久磁石が埋設され、前記函体の下面を構成する底板部の上面には凹陥収容部に収容された前記転倒防止脚の永久磁石と磁着関係を構成する磁性部材が配備され、前記函体の下面を構成する底板部に、下面側から前記転倒防止脚の平面形状と厚み形状に適合する凹陥収容部が形成されると共に該凹陥収容部の後縁が上下に開口されて差入れ孔が形成され、該差入れ孔の左右の内側面には上方側を開口する軸受溝が形成され、該軸受溝の開口部が函体内に配備される内装部材に形成される支持脚により閉鎖されて転倒防止脚の基端の左右側面に突出する軸部を軸受けする軸受孔部が函体の下面に配備され、前記函体の下面において前記凹陥収容部の前記転倒防止脚の先端部を収容する前縁内面の前方側は指掛凹陥部が凹陥収容部に連通して形成されてなる合図灯の転倒防止装置。
【実施例】
【００１９】
本発明の合図灯の転倒防止装置について、図面に示す実施例により説明すると、本発明の転倒防止装置２を配備した合図灯１は、長方形型の函体３の前面３ａには白色、赤色、青色を切換発光する信号照射部４が具備される。同じく上面３ｂには信号切換ノブ５が立設され、該信号切換ノブ５が直立時に白色、前面から見て、左側傾倒時に青色、右側傾倒時に赤色に切換られ、信号照射部４を発光する。同じく上面３ｂには基端を接続する略逆Ｕ字形の持ち手６が具備される。同じく背面３ｃには、函体３に対して取り外し自在の裏蓋部７が配備される。同じく下面３ｄには、基部８ａの両側面に突出する軸部９、９を函体３に配備される左右の軸受孔部１０、１０に遊嵌して転倒防止脚８が展開自在に具備される。
【００２０】
前記函体３の下面３ｄの前後左右の四隅寄りに摩擦力に富むゴム足１１が四個ネジ止め固着されて配備される。又、下面３ｄの中央に充電用プラス電極板１２ａと充電用マイナス電極板１２ｂが配備される。
【００２１】
前記転倒防止脚８は、実施例では図８及び図９に示すように、先端部８ｂ、８ｂが、前記下面３ｄの中央に配備される充電用プラス電極板１２ａと充電用マイナス電極板１２ｂを避ける二股形状に形成され、軸部９、９を中心に先端部８ｂ、８ｂを函体３の背面３ｃ側に展開した時、背面３ｃより後方側に延設して置き台面１３に、該先端部８ｂ、８ｂの先端縁を接して函体３を支持するように設けられる。
【００２２】
前記転倒防止脚８は、基部と先端部との中間に永久磁石１４、１４が埋設される。
【００２３】
前記函体３の下面３ｄに配備した左右の軸受孔部１０、１０は、下面３ｄを構成する底板部３ｄ１に、下面３ｄ側から前記転倒防止脚８の形状に適合する凹陥収容部１５が凹陥されて形成されると共に該凹陥収容部１５の後縁が上下に開口されて差入れ孔１６が形成され、該差入れ孔１６の左右の内側面には上方側を開口する軸受溝１７、１７が形成される。
【００２４】
前記転倒防止脚８の上面側を前面に向け、前記差入れ孔１６に先端部８ｂから差入れ、基部８ａの軸部９、９を前記軸受溝１７、１７に遊嵌した後、函体３内に配備される内装部材１８に形成される支持脚１８ａ、１８ａにより前記軸受溝１７、１７の開口部が閉鎖されて前記軸受孔部１０、１０が設けられる。
【００２５】
前記凹陥収容部１５に対応する前記函体３の下面３ｄを構成する底板部３ｄ１の上面には、凹陥収容部１５に収容された前記転倒防止脚８の永久磁石１４、１４と磁着関係を構成する磁性部材１９が配備され、互いに吸着して前記転倒防止脚８を凹陥収容部１５に収容した状態を保持する。
【００２６】
前記函体３の下面３ｄにおいて、前記凹陥収容部１５の前記転倒防止脚８の先端部８ｂを収容する前縁内面１５ａの前方側は指掛凹陥部２０、２０が凹陥収容部１５に連通して形成される。
【００２７】
前記転倒防止脚８は、函体３の凹陥収容部１５に収容した時、その基部８ａ寄り下面が凹陥部８ａ１に、先端部８ｂ寄り上面が凹陥部８ｂ１に夫々形成されて側面形状が鍵型に構成され、凹陥収容部１５に収容された状態から軸部９、９を中心に回転して先端部８ｂを函体３の後方へ展開した時、前記の基部８ａ寄り下面の凹陥部８ａ１が函体３の差入孔１６の後縁１６ａに連接し、転倒防止脚８の展開角を可及的大きくし、転倒防止脚８の先端部８ｂが函体３の可及的後方へ達するように設けられている。
【００２８】
前記転倒防止脚８の先端部８ｂ寄りの上面が凹陥部８ｂ１に形成されるから、函体３の凹陥収容部１５に転倒防止脚８を収容した時、凹陥部８ｂ１の深さ幅が函体３の底板部３ｄ１の厚み幅となり函体３の強度と剛性が確保される。
【００２９】
前記転倒防止脚８の基部８ａから先端部８ｂを二股に分割する分割円弧面８ｃと、函体３の底板部３ｄ１における凹陥収容部１５の前縁中央内面１５ａ１とにより節度機構２１が構成される。
【００３０】
本発明の合図灯の転倒防止装置は、前述のように構成されるから、図１、図２に示すように、転倒防止脚８を函体３の凹陥収容部１５に収容した状態では、函体３の奥行き幅が大幅に縮小されて重量が軽量化されているので軽快に頭上高く差し上げて信号を発光して合図灯として使用できる。
【００３１】
休憩等で本発明の合図灯を台上に置く時には、指掛凹陥部２０に指先を差込み、転倒防止脚８の先端部８ｂに指先を掛けて引き起せば、転倒防止脚８は軸部９、９を中心に磁力から脱出して回転し、転倒防止脚８の先端部８ｂを函体３の背面より後方へ延出し、転倒防止脚８の先端部８ｂの先端縁を置き台面１３に連接させる。
【００３２】
転倒防止脚８を函体３の凹陥収容部１５に収容した状態で前記函体３の凹陥収容部１５の前縁中央内面１５ａ１と転倒防止脚８の分割円弧面８ｃが対面する構成では、転倒防止脚８を引き起し時に回転軌跡により互いに衝突して回転抵抗が発生するので、節度機構２１として利用することができ、磁力作用を補助する。
【産業上の利用可能性】
【００３３】
本発明の合図灯は軽量化されるので使用による労力の軽減ができ使い勝手を向上させ労働環境の向上に寄与するものである。
【符号の説明】
【００３４】
１  合図灯
２  転倒防止装置
３  函体
３ａ  前面
３ｂ  上面
３ｃ  背面
３ｄ  下面
３ｄ１  底板部
４  信号照射部
５  信号切換ノブ
６  持ち手
７  裏蓋部
８  転倒防止脚
８ａ  基部
８ａ１  凹陥部
８ｂ  先端部
８ｂ１  凹陥部
８ｃ  分割円弧面
９  軸部
１０  軸受孔部
１１  ゴム足
１２ａ  充電用プラス電極板
１２ｂ  充電用マイナス電極板
１３  置き台面
１４  永久磁石
１５  凹陥収容部
１５ａ  前縁内面
１５ａ１  前縁中央内面
１６  差入れ孔
１６ａ  後縁
１７  軸受溝
１８  内装部材
１８ａ  支持脚
１９  磁性部材
２０  指掛凹陥部
２１  節度機構
【図１】
2012141798.tif 000003
【図２】
2012141798.tif 000004
【図３】
2012141798.tif 000005
【図４】
2012141798.tif 000006
【図５】
2012141798.tif 000007
【図６】
2012141798.tif 000008
【図７】
2012141798.tif 000009
【図８】
2012141798.tif 000010
【図９】
2012141798.tif 000011